(57)【要約】      （修正有）【課題】積層形の輪状ステータの組付けを迅速に、かつ、正確に行うレゾルバステータの誤組付防止機能を提供する。【解決手段】レゾルバステータの誤組付防止機能を有するレゾルバステータ構造において、輪状ステータ２０の外面、又は、輪状巻線カバー６１の表面６１ａ又は裏面に形成された、記号や文字、又は、ねじ組立順を示す数字を形成、又は、輪状巻線カバー６１を成形時に記号や文字又は数字を形成し、輪状ステータ２０をモータハウジングに取り付ける際の目印７０とすることである。【選択図】図１
2020182273.tif 000002
【特許請求の範囲】
【請求項１】
所定角度間隔で内方へ向けて突出する多数の突出磁極（２２）を有する積層形の輪状ステータ（２０）と、前記輪状ステータ（２０）の両面に設けられた輪状絶縁カバー（６２）と、前記突出磁極（２２）に巻回されたステータ巻線（２３）と、前記ステータ巻線（２３）を覆うための輪状巻線カバー（６１）と、前記輪状巻線カバー（６１）に連続して形成され、前記輪状ステータ（２０）の貫通孔（９０）を貫通して外部に突出した端子ピン保持部（５０）と、前記端子ピン保持部（５０）に設けられ、前記ステータ巻線（２３）と接続される端子ピン（１００）と、前記輪状ステータ（２０）の内側に回転自在に設けられたロータ（１０）とからなるレゾルバステータ構造において、
前記輪状ステータ（２０）の外面、又は、前記輪状巻線カバーの表面又は裏面に形成された、記号や文字、又は、ねじ組立順を示す数字を形成、又は、輪状巻線カバーを成形時に記号や文字又は数字を形成し、前記輪状ステータ（２０）をモータハウジングに取り付ける際の目印（７０）とすることを特徴とするレゾルバステータの誤組付防止機能を有するレゾルバステータ構造。
【発明の詳細な説明】
【技術分野】
【０００１】
本発明は、レゾルバステータの誤組付防止機能を有するレゾルバステータ構造に関し、特に、レゾルバステータをモータ側に取付ける際の取付歩留まりを向上させるための新規な改良に関する。
【背景技術】
【０００２】
従来、用いられていたこの種のレゾルバとしては、例えば、特許文献１に開示された構成を、図５及び図６として、示すことができる。
すなわち、図５において、符号２０で示されるものは輪状ステータであり、この輪状ステータ２０のステータコア２１には、複数の取付孔４０が設けられている。
【０００３】
前記ステータコア２１の内側には、冷却又は磁気抵抗調整用の長孔４１が形成され、この各長孔４１の内側には多数の突出磁極２２が内方へ向けて突出して配設されている。
前記各突出磁極２２の外周にはステータ巻線２３が巻回されており、各突出磁極２２によって囲まれて形成された円形空隙５１内には、外周が楕円形（２Ｘ）をなすロータ１０が回転自在に配設されるように構成されている。
【０００４】
また、図６で示されるものは、他の従来構成からなるアウターロータ形のレゾルバであり、図５と基本的に同じ作用を有する構成であるため、同一又は同等部分には、同一符号を付して説明する。
図６において、ステータ２０には、取付孔４０及び長孔４１が設けられ、このステータコア２１の外周面には、多数の突出磁極２２が設けられている。
【０００５】
前記各突出磁極２２には、ステータ巻線２３が巻回されており、各突出磁極２２によって外側に形成された空間５２には、外周が真円で、内周面が液状（３Ｘ）に形成されたロータ１０が回転自在に設けられている。但し、前記Ｘは周知の軸倍角のことである。
前記ロータ１０の接線Ｌｔ１Ａ上には、突部１２が設けられ、この突部１２の中心線Ｌｃ１Ａは、前記ステータコア２１の軸中心Ｐと前記ロータの接線Ｌｔ１Ａの交点Ｐ’から、ずれて設けられている。
【先行技術文献】
【特許文献】
【０００６】
【特許文献１】特開２０１８−１５７７０５号公報
【発明の概要】
【発明が解決しようとする課題】
【０００７】
従来のレゾルバは、以上のように構成されていたため、次のような課題が存在していた。
すなわち、レゾルバステータコアは転積による積層加工されるため、図には示してなかったが、ステータコアの外周には組付時に不用な穴や、スリットまで加工されるため、例えば、ねじでモータにレゾルバを組付け時に、本来の組付用穴とは別のねじ通し穴（図示せず）で組付けてしまう誤組付けの可能性があった。
【０００８】
本発明は、以上のような課題を解決するためになされたもので、特に、レゾルバステータをモータ側に取付ける際の取付歩留まりを向上させるようにしたレゾルバステータの誤組付防止機能を有するレゾルバステータ構造を提供することを目的とする。
【課題を解決するための手段】
【０００９】
本発明によるレゾルバステータの誤組付防止機能を有するレゾルバステータ構造は、所定角度間隔で内方へ向けて突出する多数の突出磁極を有する積層形の輪状ステータと、前記輪状ステータの両面に設けられた輪状絶縁カバーと、前記突出磁極に巻回されたステータ巻線と、前記ステータ巻線を覆うための輪状巻線カバーと、前記輪状巻線カバーに連続して形成され、前記輪状ステータの貫通孔を貫通して外部に突出した端子ピン保持部と、前記端子ピン保持部に設けられ、前記ステータ巻線と接続される端子ピンと、前記輪状ステータの内側に回転自在に設けられたロータとからなるレゾルバステータ構造において、前記輪状ステータの外面、又は、前記輪状巻線カバーの表面又は裏面に形成された、記号や文字、又は、ねじ組立順を示す数字を形成、又は、輪状巻線カバーを成形時に記号や文字又は数字を形成し、前記輪状ステータをモータハウジングに取り付ける際の目印とする構成である。
【発明の効果】
【００１０】
本発明によるレゾルバステータの誤組付防止機能を有するレゾルバステータ構造は以上のように構成されているため、次のような効果を得ることができる。すなわち、所定角度間隔で内方へ向けて突出する多数の突出磁極を有する積層形の輪状ステータと、前記輪状ステータの両面に設けられた輪状絶縁カバーと、前記突出磁極に巻回されたステータ巻線と、前記ステータ巻線を覆うための輪状巻線カバーと、前記輪状巻線カバーに連続して形成され、前記輪状ステータの貫通孔を貫通して外部に突出した端子ピン保持部と、前記端子ピン保持部に設けられ、前記ステータ巻線と接続される端子ピンと、前記輪状ステータの内側に回転自在に設けられたロータとからなるレゾルバステータ構造において、前記輪状ステータの外面、又は、前記輪状巻線カバーの表面又は裏面に形成された、記号や文字、又は、ねじ組立順を示す数字を形成、又は、輪状巻線カバーを成形時に記号や文字又は数字を形成し、前記輪状ステータをモータハウジングに取り付ける際の目印とすることによって、この目印に基づいて、ボルト、ねじ等で、レゾルバをモータにねじ締め固定することができ、モータへの取付けミスをなくすことができる。
また、自動化されたラインにおいては、この目印をもとにして、電子的にキャッチし、自動取付けを行うことがきる。
【図面の簡単な説明】
【００１１】
【図１】本発明によるレゾルバステータの誤組付防止機能を有するレゾルバステータ構造の第１形態を示す平面図である。
【図２】図１のＹ−Ｙ断面図である。
【図３】図１の第２形態を示す正面図である。
【図４】図２の要部の拡大図である。
【図５】インナーロータ形のレゾルバの従来例を示す平面図である。
【図６】アウターロータ形のレゾルバの他の従来例を示す平面図である。
【発明を実施するための形態】
【００１２】
本発明によるレゾルバステータの誤組付防止機能を有するレゾルバステータ構造は、レゾルバステータをモータ側に取付ける際の取付歩留まりを向上させることである。
【実施例】
【００１３】
以下、図面と共に本発明によるレゾルバステータの誤組付防止機能を有するレゾルバステータ構造の好適な実施の形態について説明する。
尚、従来と同等もしくは同一部分については同一符号を用いて説明する。
図１において符号２０で示されるものは輪状の板状に形成された輪状ステータであり、この輪状ステータ２０の面には、長孔状の取付孔４０及び径方向の磁気的抵抗を減衰させるための連結孔６０が形成されている。
【００１４】
前記輪状ステータ２０の輪状巻線カバー６１及び輪状絶縁カバー６２の下方位置には、図２で示すインナー形の突出磁極２２が多数形成され、各突出磁極２２には、ステータ巻線２３が前記輪状絶縁カバー６２を介して巻回されている。
前記各突出磁極２２には、前記輪状絶縁カバー６２を介してステータ巻線２３が巻回され、各突出磁極２２のステータ巻線２３を輪状に覆うために前記輪状巻線カバー６１が設けられている。
【００１５】
前記輪状ステータ２０の内側には、８Ｘの軸倍角を有するロータ１０が回転自在に設けられており、図２のＢ−Ｂ線による断面図で示されるように、内側の輪状絶縁カバー６２の上側に輪状巻線カバー６１が覆われることにより、ステータ巻線２３と突出磁極２２とは、前記輪状絶縁カバー６２で絶縁され、前記ステータ巻線２３と外気とは、前記輪状巻線カバー６１によって遮断されている。
【００１６】
前記輪状ステータ２０の外面２０ａ、又は、輪状巻線カバー６１の表面６１ａ又は裏面６１Ａに三角印６１ｂ及び矢印６１ｃからなる総称して目印７０が形成されている。
また、前記輪状巻線カバー６１の表面６１ａ又は裏面６１Ａに形成された、図示しない記号や文字、又は、輪状巻線カバー６１を射出成形時に、図示しない記号や文字、又は、ねじ組立順を示す数字を形成、又は、輪状巻線カバー６１を射出成形時に記号や文字又は数字を形成し、前記輪状ステータ２０をモータハウジング（図示せず）に取り付ける際の目印７０とすることにより、この目印７０のみを用いて、ねじ、棒等を挿入することにより、積層状の前記輪状ステータ２０を一体化させることが可能である。
尚、前述の状態は、図１の各目印７０の位置に、ねじ等を挿入すると、図３の点線で示す丸８０の位置（目印７０と丸８０の位置は同一）にねじ等を挿入したことになり、輪状ステータ２０の一体化が完成する。
【００１７】
また、図２において、輪状ステータ２０の突出磁極２２の部分に設けられた貫通孔９０に対して、輪状絶縁カバー６１の一端に射出成形時に延設された延設部５０Ａが貫通孔９０を貫通して外方にＬ字状に突出して端子ピン１００を内蔵した状態で端子ピン保持部５０が射出成形されている。
以上の工程を経ることにより、外面に粗面があった状態の輪状ステータ２０であっても、予め形成された輪状ステータ２０又は輪状巻線カバー６１に形成された目印７０に基づいてねじ等でモータ（図示せず）側に輪状ステータ２０を正確に取付けることができる。
【産業上の利用可能性】
【００１８】
本発明によるレゾルバステータの誤組付防止機能を有するレゾルバステータ構造は、輪状ステータ、輪状巻線カバー及び輪状絶縁カバーの何れか１個の表面又は裏面に、目印７０を形成し、この目印７０の部分にねじ等を挿入することにより、輪状ステータをモータ等に簡単、かつ、正確に取付けられ、取付の歩留まりを向上させることができる。
【符号の説明】
【００１９】
１０  ロータ
２０  輪状ステータ
２２  突出磁極
２３  ステータ巻線
４０  取付孔
５０  端子ピン保持部
５０Ａ  延設部
６０  連結孔
６１  輪状巻線カバー
６１ａ  表面
６１ｂ  矢印
６１ｂ  三角部
６１ｃ  矢印
６２  輪状絶縁カバー
７０  目印  
９０  貫通孔
１００  端子ピン
【図１】
2020182273.tif 000003
【図２】
2020182273.tif 000004
【図３】
2020182273.tif 000005
【図４】
2020182273.tif 000006
【図５】
2020182273.tif 000007
【図６】
2020182273.tif 000008